(57)【要約】【課題】ＬＥＤを利用した擬似ホタル装置において、自然のホタルを彷彿させるような使用状態が得られる擬似ホタル装置の提供。【解決手段】自然のホタルに似せた形態をなす擬似ホタル体２１と、該擬似ホタル体２１の腹部２１ｃ側の部位に取付けられた発光体３１と、該発光体３１に給電して自然のホタルの発光動作に似せた発光動作をさせる給電発光制御装置４１とを有する擬似ホタル装置１１であって、上記発光体３１と給電発光制御装置４１とを接続するリード線５１が、擬似ホタル体２１の長さ方向における擬似ホタル体２１の頭部２１ａ側から延びるように取付けられた擬似ホタル装置１１。【選択図】図２
0003123357.tif 000002
【実用新案登録請求の範囲】
【請求項１】
自然のホタルに似せた形態をなす擬似ホタル体と、該擬似ホタル体の腹部側の部位に取付けられた発光体と、該発光体に給電して自然のホタルの発光動作に似せた発光動作をさせる給電発光制御装置とを有する擬似ホタル装置であって、
上記発光体と給電発光制御装置とを接続するリード線が、擬似ホタル体の長さ方向における擬似ホタル体の頭部側から延びるように取付けられた
擬似ホタル装置。
【請求項２】
前記擬似ホタル体の腹部側の下面に凹所が形成され、
該凹所に、先端側の一部を露出した状態で発光体の基部が取付けられた
請求項１に記載の擬似ホタル装置。
【請求項３】
前記発光体が、斜め下方に向けて取付けられた
請求項２に記載の擬似ホタル装置。
【請求項４】
前記発光体が、平面視において擬似ホタル体内に収まるように取付けられた
請求項１から請求項３のうちのいずれか一項に記載の擬似ホタル装置。
【請求項５】
前記発光体に接続された前記リード線の発光体側の部分が、擬似ホタル体内に収納されて、頭部側の部位から外部に引き出された
請求項１から請求項４のうちのいずれか一項に記載の擬似ホタル装置。
【請求項６】
前記擬似ホタル体の下面における頭部側の部位から腹部側の部位にかけて開口部が形成されるとともに、
該開口部の長さ方向の両端部を除いた部分を閉塞する別体の腹部材が設けられた
請求項１から請求項５のうちのいずれか一項に記載の擬似ホタル装置。
【請求項７】
複数個の前記擬似ホタル体が設けられるとともに、
これら擬似ホタル体の発光体に接続される複数本のリード線が、それぞれ複数本ずつの複数種類の長さを有するリード線で構成された
請求項１から請求項６のうちのいずれか一項に記載の擬似ホタル装置。
【請求項８】
請求項１から請求項７のうちのいずれか一項に記載の擬似ホタル装置が、植物または飼育容器からなる演出装置に組みつけられた
擬似ホタル演出装置。
【考案の詳細な説明】
【技術分野】
【０００１】
この考案は、自然のホタルを彷彿させるような擬似ホタル装置に関する。
【背景技術】
【０００２】
ホタルは夏の景物とされており、全国各地でホタルの復活に向けて様々な取り組みがなされている。その甲斐あって、ホタルを見ることができる地域が従前に比べて増えてきているものの、都会のように自然の川のない地域ではホタルはまだまだ遠い存在である。
【０００３】
そのためか、自然のホタルを模した発光装置は古くから提案されている（たとえば下記特許文献１、２、３参照）。
【０００４】
これらの発光装置は、ホタルのような形態をなすホタル体と、このホタル体に取付けられた発光体と、該発光体を発光させる電源や回路等の電源装置とからなる。
【０００５】
そして、自然のホタルと同様に発光が行われるようにするため、特許文献１では発光体の点灯・消灯が徐々に行われるようにされており、特許文献２では複数個の発光体がそれぞれ別個独立して発光するようにされており、それぞれに工夫がなされている。
【０００６】
また、草むらの中でホタルが遊戯しているような状態を作り出す模造装置（特許文献３）において、発光のために必要なリード線が目立たないようにすべく、リード線を緑色にするとともに、このリード線を、緑色紐からなる草むらを模した装飾体にまぎれさせて、外観の上で自然なものに近づける工夫もなされている。
【０００７】
しかし、これまでの発光装置では、リード線がホタル体の後方、すなわち光る部分である発光体の方向に延び、発光体のそばに位置するので、発光体が光ったときにリード線が目立って外観が損なわれ、自然のホタルのような状態が得られない難点があった。
【０００８】
また、リード線がホタル体の下面から出て、ホタル体の下面に沿って後方に延びるので、ホタル体をたとえば葉っぱなどの装飾体の上に乗せることが安定して行えず、ホタル体を装飾体に取付けたりする作業が困難であるという難点も有する。
【０００９】
【特許文献１】実開昭６４−１３３９９号公報
【特許文献２】特開２００１−３００１４７号公報
【特許文献３】実開昭６２−２０８９９号公報
【考案の開示】
【考案が解決しようとする課題】
【００１０】
そこで、この考案は、発光時の外観を自然のホタルにより近づけることができるようにするとともに、装飾体に対する取付け作業が容易に行えるようにすることを主たる課題とする。
【課題を解決するための手段】
【００１１】
そのための手段は、自然のホタルに似せた形態をなす擬似ホタル体と、該擬似ホタル体の腹部側の部位に取付けられた発光体と、該発光体に給電して自然のホタルの発光動作に似せた発光動作をさせる給電発光制御装置とを有する擬似ホタル装置であって、上記発光体と給電発光制御装置とを接続するリード線が、擬似ホタル体の長さ方向における擬似ホタル体の頭部側から延びるように取付けられた擬似ホタル装置である。
【００１２】
リード線が擬似ホタル体の頭部側から延びるので、発光体のそばにリード線が存在しないようにして使用することができる。このため、発光時に自然のホタルらしい外観を得られる。また、葉っぱなどの装飾体に対して乗せたりして取付けるときには、リード線の擬似ホタル体に近い部分を手で持って擬似ホタル体が所望の位置に置かれるようにコントロールすればよく、擬似ホタル体の下面側にリード線が存在しないようにすることができるので、作業は容易に行える。
【００１３】
ここで、上記各構成要素については、次のような態様に構成することができる。  
その態様の一つは、上記擬似ホタル体の腹部側の下面に凹所が形成され、該凹所に、先端側の一部を露出した状態で発光体の基部が取付けられた擬似ホタル装置である。  
発光体の基部が凹所に埋め込まれるので、ホタルらしい外観を得ることができる。
【００１４】
好ましくは、上記発光体が、斜め下方に向けて取付けられたものであるとよい。  
発光体の基部が埋め込まれた上に、その先端側が斜めに露出するので、より一層ホタルらしい外観が得られる。
【００１５】
態様の他の一つは、上記発光体が、平面視において擬似ホタル体内に収まるように取付けられた擬似ホタル装置である。  
発光体が平面からみて見えないので、よりホタルらしい外観を得られるとともに、発光体の過度の露出を抑えて、ホタルらしさを演出できる。
【００１６】
態様の他の一つは、上記発光体に接続された上記リード線の発光体側の部分が、擬似ホタル体内に収納されて、頭部側の部位から外部に引き出された擬似ホタル装置である。  
リード線を、擬似ホタル体の長さ方向における擬似ホタル体の頭部側から延びるように取付けることが、簡素な構成で実現できる、リード線が発光体に近づかない状態を容易に得られる。
【００１７】
態様の他の一つは、上記擬似ホタル体の下面における頭部側の部位から腹部側の部位にかけて開口部が形成されるとともに、該開口部の長さ方向の両端部を除いた部分を閉塞する別体の腹部材が設けられた擬似ホタル装置である。  
腹部材の存在により、部品点数は増えるものの、リード線の向きが所定状態になった擬似ホタル体を容易に得られ、そのうえ腹部材の下面を、腹節を模した状態にすることで、さらにホタルらしさを得られる。
【００１８】
態様の他の一つは、複数個の前記擬似ホタル体が設けられるとともに、これら擬似ホタル体の発光体に接続される複数本のリード線が、それぞれ複数本ずつの複数種類の長さを有するリード線で構成された擬似ホタル装置である。  
たとえば長いリード線と短いリード線をそれぞれ複数本ずつ有すると、擬似ホタル体を給電発光制御装置から遠い位置と近い位置とに満遍なく分散でき、リード線の露出も抑えることができる。また、長いリード線と短いリード線を区別して扱えるので、存在するリード線の本数のわりに絡みにくくすることができて取り扱いが容易である。
【００１９】
別の手段は、上記擬似ホタル装置が、植物または飼育容器からなる演出装置に組みつけられた擬似ホタル演出装置である。  
上記植物は生花でも造花でもよい。また飼育容器は、籠タイプのものでも、ケースタイプのものでもよい。
【考案の効果】
【００２０】
以上のように、この考案によれば、リード線が発光体のそばに存在しないようにすることができるので、発光時の外観を自然のホタルに近づけることができる。また、たとえば葉っぱなどの装飾体の上に乗せるときでも、リード線を持って容易に取付けることができて扱いやすい。
【考案を実施するための最良の形態】
【００２１】
この考案を実施するための一形態を、以下図面を用いて説明する。  
図１は、擬似ホタル装置１１の斜視図であり、この擬似ホタル装置１１は、自然のホタルに似せた形態をなす複数個の擬似ホタル体２１…と、これら擬似ホタル体２１…の腹部に備えられた発光体としての発光ダイオード（以下、「ＬＥＤ」という。図２、図４〜図６参照）と、該ＬＥＤ３１に給電して自然のホタルの発光動作に似せた発光動作をさせる給電発光制御装置４１と、該給電発光制御装置４１とＬＥＤ３１を接続するリード線５１とを有する。
【００２２】
図２は擬似ホタル体２１の使用状態を示す斜視図であり、この擬似ホタル体２１は、図３〜図６に示したように構成されている。すなわち、ホタルの外観に似せた形状でホタルに似た大きさに形成されたホタル体本体２２と、このホタル体本体２２の下面に固定された腹部材２３とを有し、ＬＥＤ３１は、その先端側を斜め下に向けて露出した状態で取付けられる。そして、ＬＥＤ３１に接続したリード線５１は、擬似ホタル体２１の内部を通って擬似ホタル体２１の長さ方向における頭部２１ａ側の部位から延びるように取付けられている。
【００２３】
ホタル体本体２２は、図６に示したように、頭部２１ａ、胸部２１ｂ、腹部２１ｃを有し、自然のホタルと同様の凹凸や模様が形成されるとともに着色も施されており、その下面には、胸部２１ｂから腹部２１ｃにかけて長さ方向に長い凹所２４が形成されている。この凹所２４の長さ方向の両端部２４ａ，２４ｂは、図４に示したように、略半円弧状に形成され、腹部２１ｃ側の端部２４ａは、ＬＥＤ３１を取付ける部分であるのでＬＥＤ３１に対応する大きさに形成され、胸部２１ｂ側の端部は、リード線５１を引き出す部分であるのでリード線５１を引き出せる適宜の大きさに形成される。
【００２４】
このような凹部２４の開口部２４ｃには、板状の腹部材２３が取付けられ、凹所２４の両端部２４ａ，２４ｂを除いた部分が閉塞される。腹部材２３の後端部は、ＬＥＤ３１の先端側が斜め下に向いた状態で取付けられる部分であり、このような取付けが可能なように、腹部材２３の後端部には、傾斜をつけた状態の半円弧状をなす切り欠き２３ａが形成されている。また、腹部材２３の下面には、自然のホタルの腹節を模した凹凸模様が形成されており、着色もなされている。
【００２５】
この擬似ホタル体２１に取付けられるＬＥＤ３１は、自然のホタルの発する光と同様の色の光を発するものが使用される。そしてＬＥＤ３１の固定は、その基部をホタル体本体２２の凹所２４における腹部２１ｃ側の端部に組み込んでから、ＬＥ３１に接続されたリード線５１を、凹所２４内の天井面に沿うようにして胸部２１ｂ側の端部２４ｂから外部に引き出し、ＬＥＤ３１とリード線５１とを接着剤を用いて固定するとともに、腹部材２３を凹所２４の開口部２４ｃに取付けることによって行われる。ＬＥＤ３１とリード線５１はこのようにして固定されるので、リード線５１は、図４〜図６に示したように、ＬＥＤ３１の基部から真っ直ぐに自然な状態で延びることになり、不測の断線などが防止される。
【００２６】
また、ＬＥＤ３１は、図３〜図６に示したように、先端が擬似ホタル体２１の後端から突出しないように取付けられ、ＬＥＤ３１の過度の露出を抑えるようにしている。
【００２７】
上記給電発光制御装置４１は、電源としての電池（図示せず）と、ＯＮ・ＯＦＦ切り換えするためのスイッチ４２と、複数個のＬＥＤ３１…をそれぞれ独立してランダムに、しかもゆっくりと点灯・消灯を繰り返す、自然のホタルの発光動作に似た発光動作をさせるための制御回路（図示せず）とを有する。制御回路については、周知の技術ゆえに詳しい説明を省略するが、たとえば１／ｆゆらぎなど、自然のホタルに似た発光動作をするものも適宜利用できる。
【００２８】
上記リード線５１は、擬似ホタル体２１の数と同数備え、給電発光制御装置４１から枝分かれするように延びている。そして、長さの長いリード線５１ａ…とそれよりも長さの短いリード線５１ｂの二種類のリード線を有する。図示例では、６個の擬似ホタル体２１を備えるので、６本のリード線５１…を有するわけであるが、そのうちの３本のリード線５１ａ…が、他の３本のリード線５１ｂ…よりも長く設定されている。リード線５１の長さは使用場所等の条件に応じて適宜設定される。またリード線５１には緑色のものを使用する。
【００２９】
このように構成された擬似ホタル装置１１では、給電発光制御装置４１のスイッチ４２をＯＮに切り換えれば、各擬似ホタル体２１…のＬＥＤ３１がそれぞれ別々にゆっくりと点灯・消灯を繰り返し、自然のホタルが発光をするような情況が得られる。
【００３０】
擬似ホタル装置１１の使用に当たっては、室内や屋外の適宜の場所に設置する。設置に際しては、リード線５１の擬似ホタル体２１に近い部分を手で持って、所望の場所に置けばよいので簡単であり、また擬似ホタル体２１の下面が直に接地するので安定した設置状態を得ることができる。そして、たとえば図２に示したように葉っぱ６１の上に乗せる場合には、図２（ａ）の如くリード線５１を葉柄６２に沿わせることにより、リード線５１を目立たなくすることができる。また、図２（ｂ）の如く、葉っぱ６１に擬似ホタル体２１を挿通できる大きさの切り込み６１ａを入れて、この切り込み６１ａに下側から擬似ホタル体２１を通し、リード線５１を下に垂らして設置しても、リード線５１を目立たなくすることができる。リード線５１は必要に応じて接着テープ６３等で葉柄６２などに固定すれば、擬似ホタル体２１の設置状態を保持できる。
【００３１】
リード線５１は、擬似ホタル体２１の胸部２１ｂに対応する部位の下面から頭部２１ａ方向に引き出されるので、図２（ａ）に示したように自然な状態で擬似ホタル体２１を設置できる上に、必要に応じてリード線５１の引き出し方向を下に設定しても、リード線５１をＬＥＤ３１から離すことができ、自然な状態で設置ができる。
【００３２】
また、リード線５１はＬＥＤ３１のそばに存在せず、ＬＥＤ３１も過度に露出していないので、発光時に自然のホタルを彷彿させる外観を得られる。
【００３３】
さらに、リード線５１は、２種類の長さのものをそれぞれ複数本ずつ備えているので、擬似ホタル２１の配設に際して、給電発光制御装置４１から近い位置と遠い位置とに満遍なく分散することができ、この場合に、リード線がたるんで見苦しさを与えるようなことをなくすことができる。しかも、合計で６本のリード線５１を有するが、これらのリード線５１は３本ずつ長さを異にしているので、擬似ホタル体２１の配設や回収に際して、３本ずつのリード線５１ａ，５１ｂをひとまとまりとして扱える。このため、擬似ホタル体２１を回収するときに、万が一、リード線５１同士が絡まっても、その分離等の作業が容易であり、取り扱いがしやすい。
【００３４】
上記のような擬似ホタル装置１１は、予め適宜の演出装置７１に組み込んでおくことができる。  
図７、図８が、擬似ホタル装置１１を演出装置７１に組み込んで構成された擬似ホタル演出装置８１を示す。
【００３５】
図７の擬似ホタル演出装置８１は、虫かごタイプの飼育容器７２と、この内部に収容した木や石、植物などを模した適宜の装飾体７３とからなる演出装置７１の中に、擬似ホタル装置１１を好みに応じた適宜の状態で組み込んで構成される。
【００３６】
図８の擬似ホタル演出装置８１は、鉢植えされた態様の植物からなる演出装置７１に、擬似ホタル装置１１を組み込んで構成されている。上記植物は、生きた植物であるも、模造品であるも、いずれでもよい。
【００３７】
この考案の構成と、上記一形態の構成との対応において、  
この発明の発光体は、上記ＬＥＤに対応するも、  
この考案は、上記の構成のみに限定されるものではなく、その他の様々な形態を採用することができる。
【００３８】
たとえば、リード線は、擬似ホタル体における頭部に対応する位置から引き出すもよい。
【００３９】
また、擬似ホタル体には、触覚や脚を備えて、より一層ホタルらしく見えるようにすることもできる。
【図面の簡単な説明】
【００４０】
【図１】擬似ホタル装置の斜視図。
【図２】擬似ホタル装置の使用状態を示す斜視図。
【図３】擬似ホタル体の平面図。
【図４】擬似ホタル体の底面図。
【図５】擬似ホタル体の側面図。
【図６】擬似ホタル体の断面図。
【図７】擬似ホタル演出装置の側面図。
【図８】擬似ホタル演出装置の側面図。
【符号の説明】
【００４１】
１１…擬似ホタル装置
２１…擬似ホタル体
２２…ホタル体本体
２３…腹部材
２４…凹所
２４ａ，２４ｂ…端部
２４ｃ…開口部
３１…ＬＥＤ
４１…給電発光制御装置
５１…リード線
７１…演出装置
８１…擬似ホタル演出装置
【図１】
0003123357.tif 000003
【図２】
0003123357.tif 000004
【図３】
0003123357.tif 000005
【図４】
0003123357.tif 000006
【図５】
0003123357.tif 000007
【図６】
0003123357.tif 000008
【図７】
0003123357.tif 000009
【図８】
0003123357.tif 000010